(57)【要約】【課題】自らが把持して身体の皮膚細胞組織を広範囲に温めることや、色々なつぼや経脈が走る手足を載せて直接温めることにより、万病の元となっている冷えを治すことが可能な簡易な構造の温灸器を提供することを目的とする。【解決手段】底部と対向する位置に開口部を有する焼物容器の外側面に、該容器内部に設けた燃焼室と外部とを流通させる一方、該容器を把持する、中空の把持部を備える。焼物容器は、球形の土器であって、前記燃焼室の最大径は、前記開口部径よりも大きいことや、もぐさ、枇杷葉、檜、茶葉、あした葉、ハーブその他の薬草のうちの何れか一つ又は組み合わせを収納し、燃焼室を自在に移動する薬草収納部材を備えることが好ましい。【選択図】図１
0003157635.tif 000002
【実用新案登録請求の範囲】
【請求項１】
底部と対向する位置に開口部を有する焼物容器の外側面に、該容器内部に設けた燃焼室と外部とを流通させる一方、該容器を把持する、中空の把持部を備えたことを特徴とする温灸器。
【請求項２】
前記焼物容器は、球形の土器であって、前記燃焼室の最大径は、前記開口部径よりも大きいことを特徴とする請求項１記載の温灸器。
【請求項３】
前記開口部は、掌又は足幅よりも寸法が小さく、
前記底部は、寸法が前記開口部と同等又はそれよりも大きいことを特徴とする請求項１又は２記載の温灸器。
【請求項４】
もぐさ、枇杷葉、檜、茶葉、あした葉、ハーブその他の薬草のうちの何れか一つ又は組み合わせを収納し、前記燃焼室を自在に移動する薬草収納部材を備えたことを特徴とする請求項１から３のうちの何れか１項記載の温灸器。
【請求項５】
もぐさ、枇杷葉、檜、茶葉、あした葉、ハーブその他の薬草のうちの何れか一つ又は組み合わせを収納する薬草収納部を前記燃焼室に備えたことを特徴とする請求項１から３のうちの何れか１項記載の温灸器。
【請求項６】
前記薬草収納部材は、前記開口部径よりも長さの長い、側面に複数の通気孔を有する中空の角柱であることを特徴とする請求項４記載の温灸器。
【考案の詳細な説明】
【技術分野】
【０００１】
本考案は、患部等を温める温灸器に関するものである。
【背景技術】
【０００２】
漢方医療の一つとして、身体に細い鍼を刺してつぼを刺激したり、皮膚の上に置いたもぐさに火をつけてつぼを熱刺激することにより病いを治す鍼灸治療方法が一般的に行われている。また、円筒形の温灸器にもぐさ等を入れて火をつけ、それを患部にあてて温める温灸治療方法も古くから知られている。皮膚の上にもぐさを置いて火をつける方法は、つぼなどを局部的に熱刺激するのに適する一方、患部に温灸器をあてる方法は、温灸器を移動することができるので広範囲に患部を温めるのに適する。
温灸器は、皮膚の上に火のついたもぐさを置く方法にくらべて、皮膚組織の経脈を広範囲に温め、灸跡が残らないという長所があるが、反面つぼを刺激するには向かない。また、温灸器のもぐさ等に一度火をつけると、そのもぐさが燃え尽きるまでは火がついたままの状態になるという特質がある。
【０００３】
そこで、温灸器に円錐形の尖端部材（蓄熱を含む）を設け、アルコールをしみ込ませた芯でその尖端部材を加熱し、つぼを刺激しやすいようにした温灸器が提案されている（特許文献１参照）。また、薬草の薬効成分を十分利用する一方、薬草の燃焼を緩やかにするため、陶器の容器の前面や側面、及び蓋に通気孔を設け、それを指で塞いだり、開放したりすることにより温度調節可能にした温灸器が提案されている（特許文献２参照）。さらに、もぐさ、香料、枇杷葉などの天然素材のシートをヒータで加熱し、透孔から芳香を発散させ、温灸治療効果のみならず、アロマテラピー療法効果も得られる電器温灸器も提案されている（特許文献３等参照）。
【先行技術文献】
【特許文献】
【０００４】
【特許文献１】特開平７−２４６２２９号公報
【特許文献２】特許第３６２３９３５号公報
【特許文献３】特開２００３−２５０８６０号公報
【考案の概要】
【考案が解決しようとする課題】
【０００５】
多忙な社会で暮らす現代人は、夏場は冷房の利いた部屋で過ごすことが多く、冬場でも冷凍食品を扱うスーパーやコンビニに出入りするので、身体がとても冷えやすい。そして冷えによって神経が疲労し、内臓が緊張し、免疫機能が低下している。古から冷えは万病の元といわれ、冷えによる免疫低下に起因して、神経痛、リウマチ、精神疲労、がん、難病など原因不明の病気を誘発していると考えられる。全身を覆っている皮膚細胞組織には経脈が走り、皮膚表皮には末梢神経があるので、皮膚を閉じたり、緩めたりすることで身体を守っており、皮膚細胞等の機能を回復させ、免疫力を高めるのに役立つ、簡易な構造の温灸器が望まれる。
しかしながら、電気を利用した温灸器は、火で加熱する方法に較べると効果は劣る。また、アルコールをしみ込ませた芯を燃やす方法は、やけどの恐れがあり、蓋つきの温灸器の蓋に手足を載せる方法では、効果が弱い。
上記事情に鑑み、自らが把持して身体の皮膚細胞組織を広範囲に温めることや、色々なつぼや経脈が走る手足を載せて直接温めることにより、万病の元となっている冷えを治すことが可能な簡易な構造の温灸器を提供することを目的とする。
【課題を解決するための手段】
【０００６】
本考案は、底部と対向する位置に開口部を有する焼物容器の外側面に、該容器内部に設けた燃焼室と外部とを流通させる一方、該容器を把持する、中空の把持部を備えたことを特徴とし、上記焼物容器は、球形の土器であって、上記燃焼室の最大径は、上記開口部径よりも大きいことも好ましく、上記開口部は、掌又は足幅よりも寸法が小さく、前記底部は、寸法が前記開口部と同等又はそれよりも大きいことも好ましい。
このような焼物容器を用いれば、患者自らが把持して頭部や肩・腹部等の皮膚細胞組織を温めたり、手足を直接温めることができる。また焼物容器を土器で作れば、通気性があり、薬効成分による作用効果が期待できる上、底部の寸法を、開口部と同等又はそれよりも大きくすれば、手足を載せたときの安定感がよい。
【０００７】
また、もぐさ、枇杷葉、檜、茶葉、あした葉、ハーブその他の薬草のうちの何れか一つ又は組み合わせを収納し、上記燃焼室内を自在に移動する薬草収納部材を備えることも、もぐさ、枇杷葉、檜、茶葉、あした葉、ハーブその他の薬草のうちの何れか一つ又は組み合わせを収納する薬草収納部を上記燃焼室に備えることも好ましい。
このように、移動式の薬草収容部材に薬草等を収容することにしても、あるいは固定式の薬草収容部に薬草等を収容することにしても、薬草をゆっくり燃焼させることができるうえ、移動式にすれば、温灸器を傾けて使用する際に、薬草収容部材が重力に従って移動し、熱源等を温めたい皮膚細胞組織に常に接近させることができる。
さらに、上記薬草収納部材は、上記開口部径よりも長さの長い、側面に複数の通気孔を有する中空の角柱であれば、温灸器を傾けても、開口部から薬草等が飛び出す恐れが少ない。
【考案の効果】
【０００８】
本考案の温灸器は、自らが把持し、燃焼室に収容した木炭、竹炭、消し炭、もぐさ、枇杷葉、檜、茶葉、あした葉、ハーブその他の薬草を燃焼させることにより頭部や肩・腹部等の皮膚細胞組織を広範囲に温めることや手足を載せて直接温めることができる上、薬草の薬効を患部に作用させることもできる。これによって、経脈や抹消神経の緊張をほぐし、身体全体の血行を促進するので、冷えを治すことができる。また、冷えの解消により、精神疲労、神経痛、リウマチなどの治療効果、ガン術後のリハビリとしての再発防止効果、若年認知症や色々な難病の予防効果が期待できる。
【図面の簡単な説明】
【０００９】
【図１】図１は、第１の実施形態の温灸器を真上から見た平面図である。
【図２】図２は、第１の実施形態の温灸器を正面から見た正面図である。
【図３】図３は、第１の実施形態の温灸器の把持部を側面から見た側面図である。
【図４】図４は、第１の実施形態の焼物容器に収納する薬草収容部材としての環状体の一例を示す平面図である。
【図５】図５は、第１の実施形態の焼物容器に収納する薬草収容部材としての環状体の一例を示す正面図である。
【図６】図６は、  第１の実施形態の焼物容器に収納する薬草収容部材としての角柱体の一例を示す平面図である。
【図７】図７は、第１の実施形態の焼物容器に収納する薬草収容部材としての角柱体の一例を示す正面図である。
【図８】図８は、第２の実施形態の温灸器を真上から見た平面図である。
【図９】図９は、第２の実施形態の温灸器を真上から見た正面図である。
【図１０】図１０は、第２の実施形態の温灸器の把持部を側面から見た側面図である。
【考案を実施するための形態】
【００１０】
［第１の実施形態］
図１〜図３は、第１の実施形態の温灸器を示す図であり、図１は、第１の実施形態の温灸器を真上から見た平面図であり、図２は、第１の実施形態の温灸器を正面から見た正面図であり、図３は、把持部の側面を示す図である。
図１〜図３に示す第１の実施形態の温灸器１０は、底部１と、開口部２と、把持部３と、球形の燃焼室４を有する焼物容器により構成されている。
燃焼室４には、薬草を収容する薬草収容部材５が収納され、薬草全体の空気との接触面積を少なくして、薬草が一気に燃焼しないようにしている。また、薬草収納部材５は、別部材として用意され、燃焼室４内に固定されていないので、温灸器１０を傾けたときは重量で燃焼室４内を移動し、温灸器１０の、患部にあてる部分が常に温められるようになっている。
ここで、薬草としては、もぐさ、枇杷葉、檜、茶葉、あした葉、ハーブ等があり、それらのうちの何れか一つ又はそれらを複数組み合わせて使用することができる。
【００１１】
本実施形態の温灸器１０は、粘度を成形し、乾燥させたものを、釉薬をつけずに素焼きして作成したものである。このように、土を乾燥させて素焼きした土器は通気性を有するので、燃焼室内でもぐさ等の薬草を燃やすと、薬草の薬効成分が温灸器１０からしみ出す。したがって、薬草収容部材５に薬草を収容し、その薬草を燃焼させることにより温灸器１０を温め、同時に、薬草の薬効成分が患部に作用するように、温灸器１０を素焼きの土器で形成したが、必ずしも素焼きの土器である必要はなく、釉薬を用いた陶器で形成し、把持部３を除く、底部１又は側面６に、２から３ｍｍ程度の通気孔を設け、その通気孔から薬草の薬効成分が患部に作用するようにしてもよい。
また、温灸器１０を温めるには、必ずしも薬草を用いる必要はなく、燃焼室４に木炭、竹炭、あるいは消し炭の小片、又はそれらの粉末を固めたものを適量用いてもよい。
把持部３は、温灸器１０を片手で把持するための握りで、筒状をなし、握りこぶし程度の長さを有する。そして、把持部３の内部は、燃焼室４と流通する円形の通気孔７が設けてあり、燃焼室４内に空気を送ったり、燃焼室４内の煙を排出させる役割を有する。
開口部２は、円形をなし、底部１と対向する位置に設けられ、蓋は設けていない。また、開口部２、掌又は足幅よりも寸法が小さくなっているので、開口部２に足裏を載せるか、あるいは掌を載せることにより、足又は手を直接温めることができる。
その場合、円形の底部１の径は、開口部２の径よりもやや大き目になっているので、温灸器１０を床等の置いて、足裏を開口部２に載せたときに、温灸器１０が転倒する恐れは少ない。
【００１２】
図４から図７は、本実施形態の温灸器に収納する薬草収容部材の一例を示す図であり、図４及び図５は、薬草収容部材としての環状体の一例を示す平面図及び正面図であり、図６及び図７は、薬草収容部材としての角柱体の一例を示す図である。
図４及び図５に示す薬草収容部材５は、環状体で、内部は、底無しの空洞になっている。そして環状体の外径は、開口部２の径よりも小さいので、開口部２から燃焼室４内に薬草収容部材５を挿入し、空洞部分に薬草を収容することができる。環状体の材質は、温灸器１０と同様に土器あるいは陶器で形成してもよいし、金属で形成してもよい。
図６及び図７に示す薬草収容部材８は、側面に通気孔９を有する角柱体で、内部は、底無しの空洞になっている。角柱体断面の寸法は、開口部２径よりも小さいので、開口部２から燃焼室４内に薬草収容部材８を挿入し、空洞部分に薬草を収容することができる。
ここで、開口部４径よりも角柱体の長さを長くしておけば、温灸器１０を傾けても薬草収容部材８が開口部４から外に飛び出す恐れはほとんどない。また、角柱体の側面には通気孔９が設けてあるので、薬草を緩やかに燃焼させることができる。
【００１３】
［第２の実施形態］
第２の実施形態の温灸器は、第１の実施形態の温灸器と比べて、薬草を収容する薬草収容部が、温灸器と一体成形され、燃焼室内に固定されている。また、把持部には、より小さな円形の複数の通気孔が設けてある点が相違している。
図８〜図１０は、第２の実施形態の温灸器を示す図であり、図８は、第２の実施形態の温灸器を真上から見た平面図であり、図９は、第２の実施形態の温灸器の燃焼室をＡ−Ａ’で切断した断面図であり、図１０は、第２の実施形態の温灸器の把持部を側面から見た側面図である。
図８〜図１０に示す第２の実施形態の温灸器２０は、底部２１と、開口部２２と、把持部２３と、球形の燃焼室２４と、薬草収容部２５とを有する焼物容器により構成されている。
燃焼室２４には、薬草を収容する筒状の薬草収容部２５が一体成形されている。薬草収容部２５は、薬草全体の空気との接触面積を少なくするため、開口２６を小さくして、薬草が一気に燃焼しないようにしている。ただし、薬草の燃焼を助けるために、薬草収容部２５の側面には図に現れない通気孔が設けてある。
薬草としては、第１の実施形態と同様に、もぐさ、枇杷葉、檜、茶葉、あした葉、ハーブ等のうちの何れか一つ又はそれらを複数組み合わせて使用する。
【００１４】
本実施形態の温灸器２０は、粘度を成形し、乾燥させたものに釉薬をつけ焼成した陶器で、底部２１又は側面に、２から３ｍｍ程度の図に現れない通気孔が設けてあり、その通気孔から薬草の薬効成分が患部に作用するようになっている。
把持部２３は、温灸器２０を片手で把持するための握りで、筒状をなし、握りこぶし程度の長さを有する。そして、把持部２３の内部には、燃焼室２４と流通する円形の複数の通気孔２７があり、燃焼室２４内に空気を送り込んだり、燃焼室２４内の煙を排出させる役割を有する。
開口部２２は、底部２１と対向する位置に設けられた円形の開口で、蓋は設けていない。したがって、本実施形態の温灸器２０も、開口部２２に足裏を載せるか、あるいは掌を載せて足又は手を直接温めることができる。
【符号の説明】
【００１５】
１，２１    底部    
２，２２    開口部    
３，２３    把持部    
４，２４    燃焼室    
５，８      薬草収容部材
６，２８    側面                
７，２７，９    通気孔
２５        薬草収容部
２６        開口        
【図１】
0003157635.tif 000003
【図２】
0003157635.tif 000004
【図３】
0003157635.tif 000005
【図４】
0003157635.tif 000006
【図５】
0003157635.tif 000007
【図６】
0003157635.tif 000008
【図７】
0003157635.tif 000009
【図８】
0003157635.tif 000010
【図９】
0003157635.tif 000011
【図１０】
0003157635.tif 000012